(57)【要約】【課題】コンタクトを損傷させる心配の無いカード用コネクタを提供する。【解決手段】コネクタ１０は、凹部１１を有するハウジング１、凹部１１を覆うカバー板２、及び、アダプタ板６を備える。又、コネクタ１０は、第１コンタクト３、第２コンタクト４、及び、第３コンタクト５を備える。第１コンタクト３は、第１絶縁ブロック３ｂを備え、第２コンタクト４は、第２絶縁ブロック４ｂを備える。第３コンタクト５は、第３カードＣ３を接続できる。第３カードＣ３を凹部１１に挿入すると、第１コンタクト３及び第２コンタクト４を傾倒して、第１コンタクト３及び第２コンタクト４が第３カードＣ３の底面に接触することを困難とし、アダプタ板６を介して、第１カードＣ１を凹部１１に挿入すると、第１カードＣ１が第２絶縁ブロック４ｂに当接して第２コンタクト４を傾倒させ、第２コンタクト４が第１カードＣ１の底面に接触することを困難とする。【選択図】図３
2018006042.tif 000002
【特許請求の範囲】
【請求項１】
一方の端部の底面から窪んだ第１溝部の底面に複数の第１接続端子を配置した矩形の第１カード、前記第１カードと外形寸法及び厚さが同じであり、一方の端部の底面から窪んだ第２溝部の底面に複数の前記第１接続端子及び複数の第２接続端子を配置した矩形の第２カード、及び、前記第１カード又は前記第２カードより大きい外形寸法及び厚さを有し、一方の端面に開口したスロットの内部に複数の第３接続端子を配列した第３カードを共用できるカード用コネクタであって、
前記第３カードを挿入自在な凹部、及び、この凹部の開口に向かって突出し、前記スロットに挿入自在な突片を有する板状のハウジングと、
前記ハウジングの凹部を覆うカバー板と、
前記第３カードの横幅と略同一な横幅と前記第３カードの厚さと略同一な厚さを有し、前記第１カード又は前記第２カードを装着した状態で、前記凹部に挿入自在な矩形のアダプタ板と、
前記ハウジングの凹部の奥側に配置され、前記第１カードを前記アダプタ板に装着した状態で、前記第１接続端子に接触できる複数の第１コンタクトと、
前記ハウジングの凹部の開口側に配置され、前記第２カードを前記アダプタ板に装着した状態で、前記第２接続端子に接触できる複数の第２コンタクトと、
前記突片に配列し、前記第３接続端子に接触できる複数の第３コンタクトと、を備え、
前記第１コンタクトは、
前記第１溝部又は前記第２溝部を通過自在に中間部に配置され、前記第３カードを前記凹部に挿入した状態では、当該第１コンタクトを傾倒自在な第１絶縁ブロックと、
先端部に形成し、前記第１カード及び前記アダプタ板を前記凹部に挿入した状態では、前記第１接続端子と接触自在な第１接点と、を含み、
前記第２コンタクトは、
前記第１溝部又は前記第２溝部を通過自在に中間部に配置され、前記第３カードを前記凹部に挿入した状態では、当該第２コンタクトを傾倒自在な第２絶縁ブロックと、
先端部に形成し、前記第２カード及び前記アダプタ板を前記凹部に挿入した状態では、前記第２接続端子と接触自在な第２接点と、を含み、
前記第１カードを前記アダプタ板に装着した状態で、前記アダプタ板を前記凹部に挿入すると、前記第１カードの底面が前記第２絶縁ブロックに当接して前記第２コンタクトを傾倒させることで、前記第２接点を前記第１カードの底面から離間させ、
前記第２カードを前記アダプタ板に装着した状態で、前記アダプタ板を前記凹部に挿入すると、前記第２絶縁ブロックが前記第２溝部の底面に当接することなく通過し、前記第２接点が前記第２接続端子に接触する、カード用コネクタ。
【請求項２】
前記第２接続端子は、
複数の対をなす信号端子と、
前記対をなす信号端子の両側に配置されるグラウンド端子と、を含み、
前記第２コンタクトは、
前記対をなす信号端子に接触自在な信号コンタクトと、
前記グラウンド端子に接触自在なグラウンドコンタクトと、含んでいる、請求項１記載のカード用コネクタ。
【請求項３】
複数の前記第２コンタクトは、展開板を成形した導電性を有する金属板からなり、この金属板の中央部をモールドして前記ハウジングを成形すると共に、前記信号コンタクト、及び前記グラウンドコンタクトを個別に分離している、請求項２記載のカード用コネクタ。
【請求項４】
前記第３カード又は前記アダプタ板を前記凹部から排出自在なイジェクト機構を更に備えている、請求項１から３のいずれかに記載のカード用コネクタ。
【請求項５】
前記第１カードは、ＵＨＳ−Ｉ対応ＳＤメモリカードを含み、
前記第２カードは、ＵＨＳ−ＩＩ対応ＳＤメモリカードを含んでいる、請求項１から４のいずれかに記載のカード用コネクタ。
【請求項６】
前記第３カードは、ＸＱＤカードを含んでいる、請求項１から５のいずれかに記載のカード用コネクタ。
【発明の詳細な説明】
【技術分野】
【０００１】
本発明は、カード用コネクタに関する。特に、外形寸法、又は厚さ、及び、接続端子の配列が異なる三種類のカードを共用できるカード用コネクタの構造に関する。
【背景技術】
【０００２】
近年では、携帯電話機、パソコン、テレビ、ビデオ、デジタルカメラなどの電子機器は、ＣＰＵ又はメモリ素子などのＩＣ部品を組込んだＩＣカードを接続するために、カード用コネクタを搭載している。
【０００３】
ＩＣカードの一種であるメモリカードは、その外形寸法、又は厚さ、及び接続端子の配列が異なる複数種類のカードが開発されている。一方、電子機器の需要者側からは、異なる複数種類のカードを共用できるカード用コネクタを電子機器に搭載することが求められている。このような電子機器の需要者の要望に応えるため、外形寸法、又は厚さ、及び、接続端子の配列が異なる複数種類のカードを共用できるカード用コネクタが開発されている（例えば、特許文献１参照）。
【先行技術文献】
【特許文献】
【０００４】
【特許文献１】特開２００６−１６４７４９号公報
【発明の概要】
【発明が解決しようとする課題】
【０００５】
図３０は、従来技術によるカード用コネクタの構成を示す斜視図であり、カバー板を取り外した状態図である。図３１は、従来技術によるカード用コネクタの構成を示す縦断面図である。図３２は、従来技術によるカード用コネクタの構成を示す平面図であり、カバー板を取り外した状態図である。
【０００６】
図３３は、従来技術によるカード用コネクタに適用されるカードの構成を示す図であり、図３３（Ａ）は、第１種のカードであるＭＳデュオカードの構成を示す図であり、図３３（Ｂ）は、第２種のカードであるＳＤカードの構成を示す図であり、図３３（Ｃ）は、第３種のカードであるｍｉｎｉＳＤカードの構成を示す図である。なお、図３３において、上段は各カードの平面図を示し、中段は各カードの下面図を示し、下段は各カードの右側面図を示している。
【０００７】
本願の図３０、図３１、及び図３２は、特許文献１の図４、図３、及び図６に相当している。又、本願の図３３（Ａ）から図３３（Ｃ）は、特許文献１の図９から図１１に相当している。
【０００８】
図３０から図３２を参照すると、従来技術によるカード用コネクタ（以下、コネクタと略称する）９は、板状のハウジング９１とカバー板９２を備えている。又、コネクタ９は、複数の第１コンタクト９３と複数の第２コンタクト９４を備えている。
【０００９】
図３０又は図３２を参照すると、ハウジング９１は、第１凹部９１１と第２凹部９１２を有している。第１凹部９１１と第２凹部９１２は、段差を有している。第１凹部９１１の底面より第２凹部９１２の底面が高くなっている。第１凹部９１１には、複数の第１コンタクト９３を配列している。第２凹部９１２には、複数の第２コンタクト９４を配列している。
【００１０】
図３０から図３２を参照すると、カバー板９２は、第１凹部９１１と第２凹部９１２を覆っている。そして、後述する第１種のカードＤ、又は、第２種のカードＳ、及び、第２種のカードＭのいずれか一種類のカードを第１凹部９１１側からコネクタ９に挿入できる（図３３参照）。
【００１１】
図３０から図３２を参照すると、第１凹部９１１の両端部には、一対の板ばね状のカードガイド９５ａ・９５ｂを配置している。一対のカードガイド９５ａ・９５ｂは、第１凹部９１１に挿入したカードの両側面に当接して案内できる。又、一対のカードガイド９５ａ・９５ｂは、カバー板９２に向けてカードの底面を押圧できる（図３１参照）。一方のカードガイド９５ａは、その近傍に、カード認識用のスイッチ（図示せず）を配置している。カードを第１凹部９１１に挿入したときに、一方のカードガイド９５ａの動作に連動して、カード認識用のスイッチを作動できる。
【００１２】
又、図３０又は図３２を参照すると、コネクタ９は、イジェクト機構Ｊを備えている。イジェクト機構Ｊは、第１凹部９１１又は第２凹部９１２にカードを挿入すると、このカードを停止するように動作でき、停止状態のカードを押すと、カードを排出できる。このように動作するイジェクト機構Ｊは、プッシュ・プッシュ機構とも呼ばれている。
【００１３】
図３０又は図３２を参照すると、イジェクト機構Ｊは、平板状のスライド部材Ｊ１、圧縮コイルばねＪ２、及び、案内棒Ｊ３で構成している。スライド部材Ｊ１は、カードの挿抜方向と平行する方向に進退自在に、ハウジング９１と連結している。又、スライド部材Ｊ１は、ハート型のカム溝Ｊｄを一方の面に穿設している（図３２参照）。
【００１４】
図３０又は図３２を参照すると、圧縮コイルばねＪ２は、ハウジング９１に保持されている。又、圧縮コイルばねＪ２は、カードが排出される方向にスライド部材Ｊ１を付勢している。案内棒Ｊ３は、その一端部がハート型のカム溝Ｊｄに連結している。又、案内棒Ｊ３は、その他端部がハウジング９１に回転自在に連結している。
【００１５】
図３２を参照すると、案内棒Ｊ３の一端部は、ハート型のカム溝Ｊｄの始点に位置している。図３２に示した状態から、第１凹部９１１にカードを挿入し、圧縮コイルばねＪ２の付勢力に抗して、スライド部材Ｊ１をハウジング９１の奥側に移動すると、案内棒Ｊ３の一端部は、ハート型のカム溝Ｊｄの分岐点に移動する。そして、案内棒Ｊ３の一端部がハート型のカム溝Ｊｄの分岐点に到達すると、案内棒Ｊ３はスライド部材Ｊ１をロックでき、カードの停止位置を規定できる。
【００１６】
図３２を参照して、案内棒Ｊ３の一端部がハート型のカム溝Ｊｄの分岐点に位置した状態から、カードを一旦押すと、案内棒Ｊ３の一端部は、ハート型のカム溝Ｊｄの分岐点から解放されて、ハート型のカム溝Ｊｄの帰り行程に相対的に移動する。そして、圧縮コイルばねＪ２がスライド部材Ｊ１をハウジング９１の開口側に移動させることで、カードを排出できる。
【００１７】
次に、図３０から図３２に示したコネクタ９に適用されるカードの構成を説明する。図３３（Ａ）に示した第１種のカードＤは、例えば、ＭＳデュオカードと呼ばれる小型のメモリカードである。
【００１８】
図３３（Ａ）を参照すると、カードＤは、所定の外形幅Ｄｗと厚さＤｔを有している。又、カードＤは、誤挿入防止用の切り欠きＤａを隅部に形成している。更に、カードＤは、複数の接続端子Ｄｃを挿入側の端部に配列している。接続端子Ｄｃは、第２コンタクト９４と電気的に接続できる（図３０から図３２参照）。
【００１９】
図３３（Ｂ）に示した第２種のカードＳは、例えば、ＳＤカードと呼ばれるメモリカードである。図３３（Ｂ）を参照すると、カードＳは、所定の外形幅Ｓｗと厚さＳｔを有している。又、カードＳは、複数の接続端子Ｓｃを挿入側の端部に配列している。接続端子Ｓｃは、第１コンタクト９３と電気的に接続できる（図３０から図３２参照）。
【００２０】
図３３（Ａ）と図３３（Ｂ）を対比すると、カードＤは、カードＳと比べて、その奥行寸法が長くなっている。一方、カードＳの外形幅Ｓｗは、カードＤの外形幅Ｄｗより大きくなっている。又、カードＳの厚さＳｔは、カードＤの厚さＤｔより大きくなっている。つまり、外形幅Ｓｗ＞外形幅Ｄｗ、及び、厚さＳｔ＞厚さＤｔの関係になっている。
【００２１】
図３３（Ｃ）に示した第３種のカードＭは、例えば、ミニＳＤカードと呼ばれるメモリカードである。図３３（Ｃ）を参照すると、カードＭは、所定の外形幅Ｍｗと厚さＭｔを有している。又、カードＭは、一対の切り欠きＭａ・Ｍｂを一端部側の両側面に形成している。更に、カードＭは、複数の接続端子Ｍｃを挿入側の端部に配列している。接続端子Ｍｃは、第１コンタクト９３と電気的に接続できる（図３０から図３２参照）。
【００２２】
図３３（Ａ）と図３３（Ｂ）及び図３３（Ｃ）を対比すると、カードＭは、その奥行寸法がカードＳと略同じになっている。一方、カードＭは、その外形幅ＭｗがカードＤの外形幅Ｄｗと同じになっている。又、カードＭは、その厚さＭｔがカードＤの厚さＤｔと同じになっている。つまり、外形幅Ｓｗ＞外形幅Ｄｗ＝外形幅Ｍｗ、及び、厚さＳｔ＞厚さＤｔ＝厚さＭｔの関係になっている。
【００２３】
図３０から図３３を参照して、カードＤは、第１凹部９１１を通過して、第２凹部９１２に挿入されることで、カードＤが第１コンタクト９３に接触することなく、接続端子Ｄｃが第２コンタクト９４に接触できる。又、カードＳは、第１凹部９１１に挿入されることで、接続端子Ｓｃが第１コンタクト９３に接触できる。
【００２４】
一方、図３０から図３３を参照すると、カードＭは、外形幅Ｄｗ＝外形幅Ｍｗ、及び、厚さＤｔ＝厚さＭｔの関係になっているので、カードＭを第１凹部９１１に挿入することはできても、接続端子Ｍｃを第１コンタクト９３に確実に接触させることが困難であった。つまり、第１コンタクト９３の接点に向かって、接続端子Ｍｃを押圧することが困難であった。
【００２５】
そこで、コネクタ９は、カードＳの外形幅Ｓｗと同じ幅を有すると共に、カードＳの厚さＳｔと同じ厚さとなるように所定の板厚を有するアダプタ板（図示せず）を用いて、カードＭを着脱自在に保持することで、第１凹部９１１に挿入したアダプタ板付きカードＭの接続端子Ｍｃが第１コンタクト９３に確実に接触させることを実現した。このように、コネクタ９は、外形寸法、又は厚さ、及び、接続端子の配列が異なる複数種類のカードを共用できる。
【００２６】
近年では、メモリの転送速度を向上した、ＵＨＳ−Ｉ対応ＳＤメモリカード又はＵＨＳ−ＩＩ対応ＳＤメモリカードが出現している。ＵＨＳ−ＩＩ対応ＳＤメモリカードは、ＵＨＳ−Ｉ対応ＳＤメモリカードの転送速度の約３倍の転送速度を実現できる、とされている。以下、ＵＨＳ−Ｉ対応ＳＤメモリカードを第１カードと言い、ＵＨＳ−ＩＩ対応ＳＤメモリカードを第２カードと言う。
【００２７】
又、近年のデジタルカメラは、電子シャッターを用いた高速連写が可能となっている。このため、高速連写対応型のデジタルカメラは、通常の撮像用のＳＤ（Ｓｅｃｕｒｅ  Ｄｉｇｉｔａｌ）カードと、高速連写用の書き込み速度の速いＸＱＤ（登録商標）カードとが別々に挿入可能な二つのカード用コネクタを備えている。例えば、これらのカード用コネクタは、プリント基板を間にして、プリント基板の両面に実装されている。
【００２８】
ＳＤカードとＸＱＤカードとは、外形と厚さが異なっている。ＸＱＤカードに比べて、ＳＤカードは外形が小さく、その厚さも薄く形成されている。このような外形と厚さが異なる多種類のカードを一つのカード用コネクタに装着可能なカード用コネクタが開示されている。以下、ＸＱＤカードを第３カードと言う。
【００２９】
ところで、第１カードと第２カードと第３カードを共用できるカード用コネクタが求められている。第１カードと第２カードは、これらの矩形の外形寸法とこれらの厚さが同じである。又、第１カードと第２カードは、挿入側の端部に形成された複数の第１接続端子の配列が同じである。一方、第２カードは、複数の第１接続端子の後段に複数の第２接続端子を配列しているという、第１カードとの違いがある。
【００３０】
一方、第３カードは、第１カード又は第２カードの外形寸法より大きい矩形の外形寸法を有している。又、第３カードは、第１カード又は第２カードの厚さより厚い厚さを有している。更に、第３カードは、一方の端面に開口したスロットの内部に複数の第３接続端子を配列している。
【００３１】
実体として、第１カードは、その底面から窪んだ第１溝部の底面に複数の第１接続端子を配置している。一方、第２カードは、その底面から窪んだ第２溝部の底面に複数の第１接続端子及び複数の第２接続端子を配置している。つまり、第１溝部の端縁からの長さは、第２溝部の端縁からの長さより、短くなっている。
【００３２】
図３０から図３２に示したように、第１接続端子に接触できる第１コンタクトと、第２接続端子に接触できる第２コンタクトをハウジングの凹部に底面に配置することで、第２カードをハウジングの凹部に挿入すると、第２カードを第１コンタクト及び第２コンタクトに電気的に接続できる。一方、第１カードをハウジングの凹部に挿入すると、第１溝部の段差が第２コンタクトに当接して、第２コンタクトを損傷させる心配があった。
【００３３】
外形寸法及び厚さは同じであるが、接続端子の配列が一部異なる第１カード又は第２カードと、第１カード又は第２カードの外形寸法より大きい外形寸法を有し、第１カード又は第２カードの厚さより厚い厚さを有し、一方の端面に開口したスロットの内部に複数の接続端子を配列した第３カードを共用できるカード用コネクタであって、コンタクトを損傷させる心配の無いカード用コネクタが求められている。そして、以上のことが本発明の課題といってよい。
【００３４】
本発明は、このような課題に鑑みてなされたものであり、外形寸法、又は厚さ、及び、接続端子の配列が異なる三種類のカードを共用できるカード用コネクタであって、コンタクトを損傷させる心配の無いカード用コネクタを提供することを目的とする。
【課題を解決するための手段】
【００３５】
本発明者らは、第３カードを挿入自在な凹部を有する板状のハウジングと、第３カードと略同一な横幅と第３カードと略同一な厚さを有するアダプタ板と、を備え、第１カード又は第２カードをアダプタ板に装着して、凹部に挿入可能とすることで、第１カードから第３カードの共用を可能にすると共に、第１カードの第１接続端子に接続自在な第１コンタクトの中間部に第１絶縁ブロックを設け、第２カードの第２接続端子に接続自在な第２コンタクトの中間部に第２絶縁ブロックを設け、第３カードをハウジングの凹部に挿入すると、第３カードの先端縁が第１絶縁ブロック及び第２絶縁ブロックに当接して、第１コンタクト及び第２コンタクトを傾倒させることで、第１コンタクト及び第２コンタクトが第３カードに接触することを困難とし、第１溝部を端部に有する第１カードをハウジングの凹部に挿入すると、第１カードの先端縁が第２絶縁ブロックに当接して、第２コンタクトを傾倒させることで、第２コンタクトが第１カードに接触することを困難とし、第２溝部を端部に有する第２カードをハウジングの凹部に挿入すると、第２絶縁ブロックが２コンタクトを傾倒させることなく、第２コンタクトが第２接続端子に接触できると考え、これに基づいて、以下のような新たなカード用コネクタを発明するに至った。
【００３６】
（１）  一方の端部の底面から窪んだ第１溝部の底面に複数の第１接続端子を配置した矩形の第１カード、前記第１カードと外形寸法及び厚さが同じであり、一方の端部の底面から窪んだ第２溝部の底面に複数の前記第１接続端子及び複数の第２接続端子を配置した矩形の第２カード、及び、前記第１カード又は前記第２カードより大きい外形寸法及び厚さを有し、一方の端面に開口したスロットの内部に複数の第３接続端子を配列した第３カードを共用できるカード用コネクタであって、前記第３カードを挿入自在な凹部、及び、この凹部の開口に向かって突出し、前記スロットに挿入自在な突片を有する板状のハウジングと、前記ハウジングの凹部を覆うカバー板と、前記第３カードの横幅と略同一な横幅と前記第３カードの厚さと略同一な厚さを有し、前記第１カード又は前記第２カードを装着した状態で、前記凹部に挿入自在な矩形のアダプタ板と、前記ハウジングの凹部の奥側に配置され、前記第１カードを前記アダプタ板に装着した状態で、前記第１接続端子に接触できる複数の第１コンタクトと、前記ハウジングの凹部の開口側に配置され、前記第２カードを前記アダプタ板に装着した状態で、前記第２接続端子に接触できる複数の第２コンタクトと、前記突片に配列し、前記第３接続端子に接触できる複数の第３コンタクトと、を備え、前記第１コンタクトは、前記第１溝部又は前記第２溝部を通過自在に中間部に配置され、前記第３カードを前記凹部に挿入した状態では、当該第１コンタクトを傾倒自在な第１絶縁ブロックと、先端部に形成し、前記第１カード及び前記アダプタ板を前記凹部に挿入した状態では、前記第１接続端子と接触自在な第１接点と、を含み、前記第２コンタクトは、前記第１溝部又は前記第２溝部を通過自在に中間部に配置され、前記第３カードを前記凹部に挿入した状態では、当該第２コンタクトを傾倒自在な第２絶縁ブロックと、先端部に形成し、前記第２カード及び前記アダプタ板を前記凹部に挿入した状態では、前記第２接続端子と接触自在な第２接点と、を含み、前記第１カードを前記アダプタ板に装着した状態で、前記アダプタ板を前記凹部に挿入すると、前記第１カードの底面が前記第２絶縁ブロックに当接して前記第２コンタクトを傾倒させることで、前記第２接点を前記第１カードの底面から離間させ、前記第２カードを前記アダプタ板に装着した状態で、前記アダプタ板を前記凹部に挿入すると、前記第２絶縁ブロックが前記第２溝部の底面に当接することなく通過し、前記第２接点が前記第２接続端子に接触する、カード用コネクタ。
【００３７】
（２）  前記第２接続端子は、複数の対をなす信号端子と、前記対をなす信号端子の両側に配置されるグラウンド端子と、を含み、前記第２コンタクトは、前記対をなす信号端子に接触自在な信号コンタクトと、前記グラウンド端子に接触自在なグラウンドコンタクトと、含んでいる、（１）記載のカード用コネクタ。
【００３８】
（３）  複数の前記第２コンタクトは、展開板を成形した導電性を有する金属板からなり、この金属板の中央部をモールドして前記ハウジングを成形すると共に、前記信号コンタクト、及び前記グラウンドコンタクトを個別に分離している、（２）記載のカード用コネクタ。
【００３９】
（４）  前記第３カード又は前記アダプタ板を前記凹部から排出自在なイジェクト機構を更に備えている、（１）から（３）のいずれかに記載のカード用コネクタ。
【００４０】
（５）  前記第１カードは、ＵＨＳ−Ｉ対応ＳＤメモリカードを含み、前記第２カードは、ＵＨＳ−ＩＩ対応ＳＤメモリカードを含んでいる、（１）から（４）のいずれかに記載のカード用コネクタ。
【００４１】
（６）  前記第３カードは、ＸＱＤカードを含んでいる、（１）から（５）のいずれかに記載のカード用コネクタ。
【発明の効果】
【００４２】
本発明によるカード用コネクタは、第１コンタクトを傾倒自在な第１絶縁ブロックを第１コンタクトの中間部に成形し、第２コンタクトを傾倒自在な第２絶縁ブロックを第２コンタクトの中間部に成形し、第３カードをハウジングの凹部に挿入すると、第１コンタクト及び第２コンタクトを傾倒して、第１コンタクト及び第２コンタクトが第３カードに接触することを困難とし、第１カードをハウジングの凹部に挿入すると、第１カードの底面が第２絶縁ブロックに当接して第２コンタクトを傾倒させて、第２コンタクトが第１カードに接触することを困難とするので、第１コンタクト及び第２コンタクトを損傷させる心配を無くすことができる。
【図面の簡単な説明】
【００４３】
【図１】本発明の一実施形態によるカード用コネクタの構成を示す斜視図であり、第２カードを装着したアダプタ板をカード用コネクタに挿入した状態図である。
【図２】前記実施形態によるカード用コネクタの構成を示す斜視図である。
【図３】前記実施形態によるカード用コネクタの構成を示す斜視分解組立図である。
【図４】前記実施形態によるカード用コネクタの構成を示す斜視図であり、カバー板を取り外した状態図である。
【図５】前記実施形態によるカード用コネクタの構成を示す斜視図であり、カード用コネクタを底面側から観た状態図である。
【図６】前記実施形態によるカード用コネクタの構成を示す平面図である。
【図７】前記実施形態によるカード用コネクタの構成を示す正面図である。
【図８】前記実施形態によるカード用コネクタの構成を示す背面図である。
【図９】前記実施形態によるカード用コネクタに適用される第１カードの構成を示す斜視図であり、第１カードを表面側から観た状態図である。
【図１０】前記実施形態によるカード用コネクタに適用される第１カードの構成を示す斜視図であり、第１カードを底面側から観た状態図である。
【図１１】前記実施形態によるカード用コネクタに適用される第１カードの構成を示す図であり、図１１（Ａ）は、第１カードの平面図、図１１（Ｂ）は、第１カードの背面図である。
【図１２】前記実施形態によるカード用コネクタに適用される第２カードの構成を示す斜視図であり、第２カードを表面側から観た状態図である。
【図１３】本発明によるカード用コネクタに適用される第２カードの構成を示す斜視図であり、第２カードを底面側から観た状態図である。
【図１４】前記実施形態によるカード用コネクタに適用される第２カードの構成を示す図であり、図１４（Ａ）は、第２カードの平面図、図１４（Ｂ）は、第２カードの背面図である。
【図１５】前記実施形態によるカード用コネクタに適用される第３カードの構成を示す斜視図であり、第３カードを表面側から観た状態図である。
【図１６】前記実施形態によるカード用コネクタに適用される第３カードの構成を示す斜視図であり、第３カードを裏面側から観た状態図である。
【図１７】前記実施形態によるカード用コネクタに適用される第３カードの構成を示す図であり、図１７（Ａ）は、第３カードの平面図、図１７（Ｂ）は、第３カードの背面図である。
【図１８】前記実施形態によるカード用コネクタに備わるアダプタ板の構成を示す斜視図であり、第２カードをアダプタ板に装着した状態を表面側から観ている。
【図１９】前記実施形態によるカード用コネクタに備わるアダプタ板の構成を示す斜視図であり、第２カードをアダプタ板に装着した状態を裏面側から観ている。
【図２０】前記実施形態によるカード用コネクタに備わるアダプタ板の構成を示す斜視分解組立図である。
【図２１】前記実施形態によるカード用コネクタに備わるアダプタ板の構成を示す斜視図であり、アダプタ板を背面から観た状態図である。
【図２２】前記実施形態によるカード用コネクタに備わるアダプタ板の構成を示す斜視図であり、図２１と異なる方向からアダプタ板を背面から観た状態図である。
【図２３】前記実施形態によるカード用コネクタに備わるイジェクト機構の構成を示す斜視図である。
【図２４】前記実施形態によるカード用コネクタに備わる第１コンタクトから第３コンタクトの構成を示す背面図であり、第１コンタクト及び第２コンタクトをハウジングにモールドする前の状態図である。
【図２５】前記実施形態によるカード用コネクタに備わる第１コンタクトから第３コンタクトの構成を示す斜視図であり、第１コンタクト及び第２コンタクトをハウジングにモールドする前の状態図である。
【図２６】前記実施形態によるカード用コネクタに備わる第１コンタクトから第３コンタクトの構成を示す斜視図であり、第１コンタクト及び第２コンタクトをハウジングにモールドした状態図である。
【図２７】前記実施形態によるカード用コネクタの構成を示す部分拡大縦断面図であり、図２７（Ａ）は、第３カードをカード用コネクタに挿入する途中の状態図、図２７（Ｂ）は、第３カードをカード用コネクタに挿入した状態図である。
【図２８】前記実施形態によるカード用コネクタの構成を示す部分拡大縦断面図であり、第１カードを装着したアダプタ板をカード用コネクタに挿入した状態図である。
【図２９】前記実施形態によるカード用コネクタの構成を示す部分拡大縦断面図であり、第２カードを装着したアダプタ板をカード用コネクタに挿入した状態図である。
【図３０】従来技術によるカード用コネクタの構成を示す斜視図であり、カバー板を取り外した状態図である。
【図３１】従来技術によるカード用コネクタの構成を示す縦断面図である。
【図３２】従来技術によるカード用コネクタの構成を示す平面図であり、カバー板を取り外した状態図である。
【図３３】従来技術によるカード用コネクタに適用されるカードの構成を示す図であり、図３３（Ａ）は、第１種のカードであるＭＳデュオカードの構成を示す図であり、図３３（Ｂ）は、第２種のカードであるＳＤカードの構成を示す図であり、図３３（Ｃ）は、第３種のカードであるｍｉｎｉＳＤカードの構成を示す図である。
【発明を実施するための形態】
【００４４】
以下、図面を参照して本発明を実施するための形態を説明する。
［カード用コネクタの構成］
最初に、本発明の一実施形態によるカード用コネクタの構成を説明する。
【００４５】
図１は、本発明の一実施形態によるカード用コネクタの構成を示す斜視図であり、第２カードを装着したアダプタ板をカード用コネクタに挿入した状態図である。図２は、前記実施形態によるカード用コネクタの構成を示す斜視図である。
【００４６】
図３は、前記実施形態によるカード用コネクタの構成を示す斜視分解組立図である。図４は、前記実施形態によるカード用コネクタの構成を示す斜視図であり、カバー板を取り外した状態図である。図５は、前記実施形態によるカード用コネクタの構成を示す斜視図であり、カード用コネクタを底面側から観た状態図である。
【００４７】
図６は、前記実施形態によるカード用コネクタの構成を示す平面図である。図７は、前記実施形態によるカード用コネクタの構成を示す正面図である。図８は、前記実施形態によるカード用コネクタの構成を示す背面図である。
【００４８】
（第１カード及び第２カードの構成）
本発明の一実施形態によるカード用コネクタの構成を説明する前に、実施形態によるカード用コネクタに適用される第１カード及び第２カードの構成を説明する。
【００４９】
図９は、前記実施形態によるカード用コネクタに適用される第１カードの構成を示す斜視図であり、第１カードを表面側から観た状態図である。図１０は、前記実施形態によるカード用コネクタに適用される第１カードの構成を示す斜視図であり、第１カードを底面側から観た状態図である。
【００５０】
図１１は、前記実施形態によるカード用コネクタに適用される第１カードの構成を示す図であり、図１１（Ａ）は、第１カードの平面図、図１１（Ｂ）は、第１カードの背面図である。
【００５１】
図１２は、前記実施形態によるカード用コネクタに適用される第２カードの構成を示す斜視図であり、第２カードを表面側から観た状態図である。図１３は、本発明によるカード用コネクタに適用される第２カードの構成を示す斜視図であり、第２カードを底面側から観た状態図である。
【００５２】
図１４は、前記実施形態によるカード用コネクタに適用される第２カードの構成を示す図であり、図１４（Ａ）は、第２カードの平面図、図１４（Ｂ）は、第２カードの背面図である。
【００５３】
図９から図１１を参照すると、第１カードＣ１は、ＵＨＳ−Ｉ対応ＳＤメモリカードを示している。第１カードＣ１は、その外形を矩形に形成している。又、第１カードＣ１は、誤挿入防止用の切り欠きＣａを隅部に形成している。更に、第１カードＣ１は、複数の第１溝部Ｄ１を一方の端部に形成している。第１溝部Ｄ１は、第１カードＣ１の底面Ｂｆから窪んでいる。そして、第１溝部Ｄ１の底面に、第１接続端子１ｃｔを配置している。
【００５４】
図８から図１０を参照すると、第１カードＣ１は、絶縁性を有するプラスチック筐体ｃｈ１の内部にＩＣチップ（図示せず）を収納している。このＩＣチップは、第１溝部Ｄ１の底面に貼り付けられた複数の金属箔に接続している。そして、この金属箔が第１カードＣ１の第１接続端子１ｃｔとなっている。第１接続端子１ｃｔは、後述する第１コンタクト３と電気的に接続できる。
【００５５】
図１２から図１４を参照すると、第２カードＣ２は、ＵＨＳ−ＩＩ対応ＳＤメモリカードを示している。第２カードＣ２は、その外形を矩形に形成している。又、第２カードＣ２は、誤挿入防止用の切り欠きＣａを隅部に形成している。更に、第２カードＣ２は、複数の第２溝部Ｄ２を一方の端部に形成している。第２溝部Ｄ２は、第２カードＣ２の底面Ｂｆから窪んでいる。そして、第２溝部Ｄ２の底面に、第１接続端子１ｃｔ及び第２接続端子２ｃｔを配置している。
【００５６】
図１２から図１４を参照すると、第２カードＣ２は、絶縁性を有するプラスチック筐体ｃｈ２の内部にＩＣチップ（図示せず）を収納している。このＩＣチップは、第２溝部Ｄ２の底面に貼り付けられた複数の金属箔に接続している。そして、この金属箔が第２カードＣ２の第１接続端子１ｃｔ及び第２接続端子２ｃｔとなっている。第２カードＣ２の第１接続端子１ｃｔは、後述する第１コンタクト３と電気的に接続できる。
【００５７】
図１３又は図１４（Ｂ）を参照すると、第２接続端子２ｃｔは、一組の対をなす信号端子２ｓｔ・２ｓｔと複数のグラウンド端子２ｇｔを含んでいる。一対のグラウンド端子２ｇｔ・２ｇｔは、対をなす信号端子２ｓｔ・２ｓｔの両側に配置されている。信号端子２ｓｔは、後述する第２コンタクト４の内の信号コンタクト４ｓと電気的に接続できる。グラウンド端子２ｇｔは、後述する第２コンタクト４の内のグラウンドコンタクト４ｇと電気的に接続できる。
【００５８】
図９と図１２を対比すると、第１カードＣ１と第２カードＣ２は、これらの表面Ｓｆ側から観ると、これらの矩形の外形寸法とこれらの厚さｔが同じである。
【００５９】
又、図１１（Ｂ）と図１４（Ｂ）を対比すると、第１カードＣ１と第２カードＣ２は、挿入側の端部に形成された複数の第１接続端子１ｃｔの配列が同じである。一方、第２カードＣ２は、複数の第１接続端子１ｃｔの後段に複数の第２接続端子２ｃｔを配列しているという、第１カードＣ１との違いがある。
【００６０】
更に、図９と図１２を対比すると、第１溝部Ｄ１の端縁からの長さは、第２溝部Ｄ２の端縁からの長さより短くなっている、という違いがある。
【００６１】
（第３カードの構成）
又、本発明の一実施形態によるカード用コネクタの構成を説明する前に、実施形態によるカード用コネクタに適用される第３カードの構成を説明する。
【００６２】
図１５は、前記実施形態によるカード用コネクタに適用される第３カードの構成を示す斜視図であり、第３カードを表面側から観た状態図である。図１６は、前記実施形態によるカード用コネクタに適用される第３カードの構成を示す斜視図であり、第３カードを裏面側から観た状態図である。
【００６３】
図１７は、前記実施形態によるカード用コネクタに適用される第３カードの構成を示す斜視図であり、第３カードを裏面側から観た状態図である。
【００６４】
図１５から図１７を参照すると、第３カードＣ３は、ＸＱＤカードを示している。第３カードＣ３は、その外形を矩形に形成している。又、第３カードＣ３は、矩形のスロットＳｔを一方の端面に開口している。更に、第３カードＣ３は、複数の第３接続端子３ｃｔをスロットＳｔの内部に配列している（図１５参照）。
【００６５】
図１５から図１７を参照すると、第３カードＣ３は、絶縁性を有するプラスチック筐体ｃｈ３の内部にＩＣチップ（図示せず）を収納している。このＩＣチップは、スロットＳｔの内壁に貼り付けられた複数の金属箔に接続している。そして、この金属箔が第３カードＣ３の第３接続端子３ｃｔとなっている。第３カードＣ３の第３接続端子３ｃｔは、後述する第３コンタクト５と電気的に接続できる。
【００６６】
図９と図１５を対比すると、第３カードＣ３は、第１カードＣ１の外形寸法より大きい矩形の外形寸法を有している。又、第３カードＣ３は、第１カードＣ１の厚さｔより大きい厚さＴを有している。同様に、図１２と図１５を対比すると、第３カードＣ３は、第２カードＣ２の外形寸法より大きい矩形の外形寸法を有している。又、第３カードＣ３は、第２カードＣ２の厚さｔより大きい厚さＴ３を有している。
【００６７】
（全体構成）
次に、本発明の一実施形態によるカード用コネクタの全体構成を説明する。図１８は、前記実施形態によるカード用コネクタに備わるアダプタ板の構成を示す斜視図であり、第２カードをアダプタ板に装着した状態を表面側から観ている。
【００６８】
図１９は、前記実施形態によるカード用コネクタに備わるアダプタ板の構成を示す斜視図であり、第２カードをアダプタ板に装着した状態を裏面側から観ている。図２０は、前記実施形態によるカード用コネクタに備わるアダプタ板の構成を示す斜視分解組立図である。
【００６９】
図２１は、前記実施形態によるカード用コネクタに備わるアダプタ板の構成を示す斜視図であり、アダプタ板を背面から観た状態図である。図２２は、前記実施形態によるカード用コネクタに備わるアダプタ板の構成を示す斜視図であり、図２１と異なる方向からアダプタ板を背面から観た状態図である。
【００７０】
図２３は、前記実施形態によるカード用コネクタに備わるイジェクト機構の構成を示す斜視図である。
【００７１】
図１から図８を参照すると、本発明の一実施形態によるカード用コネクタ（以下、コネクタと略称する）１０は、板状のハウジング１とカバー板２を備えている。又、コネクタ１０は、複数の第１コンタクト３、複数の第２コンタクト４、及び、複数の第３コンタクト５を備えている。更に、コネクタ１０は、矩形のアダプタ板６を備えている（図１８から図２２参照）。
【００７２】
図２から図４を参照すると、ハウジング１は、第３カードＣ３又はアダプタ板６を挿入自在な凹部１１を形成している。凹部１１は、一対の側壁１ａ・１ｂと後壁１ｃで囲われている。図２又は図３を参照すると、カバー板２は、凹部１１を覆っている。カバー板２で覆われた凹部１１を第３カードＣ３又はアダプタ板６の収容空間とすることができる。
【００７３】
図３又は図４及び図６を参照すると、ハウジング１は、幅方向に断続した複数の突片１２を後壁１ｃに形成している。これらの突片１２は、凹部１１の開口に向かって突出している。第３カードＣ３を凹部１１に挿入すると、突片１２をスロットＳｔに挿入できる（図１５参照）。
【００７４】
図１８から図２２を参照すると、アダプタ板６は、第３カードＣ３の横幅Ｗ３（図１５又は図１６参照）と略同一な横幅Ｗを有している（図１９又は図２０参照）。又、アダプタ板６は、第３カードＣ３の厚さＴ３（図１５又は図１６参照）と略同一な厚さＴを有している（図１９又は図２０参照）。
【００７５】
図１８から図２２を参照すると、アダプタ板６には、第１カードＣ１又は第２カードＣ２を装着できる。そして、第１カードＣ１又は第２カードＣ２をアダプタ板６に装着した状態で、アダプタ板６を凹部１１に挿入できる（図２から図４参照）。
【００７６】
図３又は図４及び図６を参照すると、第１コンタクト３は、凹部１１の奥側に配置している。第１カードＣ１をアダプタ板６に装着した状態で、第１コンタクト３は、第１カードＣ１の第１接続端子１ｃｔに接触できる（図１０又は図１１（Ｂ）参照）。又、第２カードＣ２をアダプタ板６に装着した状態で、第１コンタクト３は、第２カードＣ２の第１接続端子１ｃｔに接触できる（図１３又は図１４（Ｂ）参照）。
【００７７】
図３から図６を参照すると、第２コンタクト４は、凹部１１の開口側に配置している。第２カードＣ２をアダプタ板６に装着した状態で、第２コンタクト４は、第２カードＣ２の第２接続端子２ｃｔに接触できる（図１３又は図１４（Ｂ）参照）。
【００７８】
図３又は図４及び図６を参照すると、第３コンタクト５は、突片１２に配列している。突片１２をスロットＳｔに挿入すると、第３コンタクト５は、第３カードＣ３の第３接続端子３ｃｔに接触できる（図１５参照）。
【００７９】
引き続き、本発明の一実施形態によるカード用コネクタの全体構成を説明する。図２４は、前記実施形態によるカード用コネクタに備わる第１コンタクトから第３コンタクトの構成を示す背面図であり、第１コンタクト及び第２コンタクトをハウジングにモールドする前の状態図である。
【００８０】
図２５は、前記実施形態によるカード用コネクタに備わる第１コンタクトから第３コンタクトの構成を示す斜視図であり、第１コンタクト及び第２コンタクトをハウジングにモールドする前の状態図である。
【００８１】
図２６は、前記実施形態によるカード用コネクタに備わる第１コンタクトから第３コンタクトの構成を示す斜視図であり、第１コンタクト及び第２コンタクトをハウジングにモールドした状態図である。
【００８２】
図２７は、前記実施形態によるカード用コネクタの構成を示す部分拡大縦断面図であり、図２７（Ａ）は、第３カードをカード用コネクタに挿入する途中の状態図、図２７（Ｂ）は、第３カードをカード用コネクタに挿入した状態図である。
【００８３】
図２８は、前記実施形態によるカード用コネクタの構成を示す部分拡大縦断面図であり、第１カードを装着したアダプタ板をカード用コネクタに挿入した状態図である。図２９は、前記実施形態によるカード用コネクタの構成を示す部分拡大縦断面図であり、第２カードを装着したアダプタ板をカード用コネクタに挿入した状態図である。
【００８４】
図２４から図２６を参照すると、第１コンタクト３は、第１絶縁ブロック３ｂと第１接点３ｓを備えている。第１絶縁ブロック３ｂは、第１コンタクト３の自由端部の中間部に配置されている。第１接点３ｓは、第１コンタクト３の自由端部の先端部に形成している。
【００８５】
図２７（Ｂ）を参照して、第３カードＣ３を凹部１１に挿入した状態では、第３カードＣ３の端縁が第１絶縁ブロック３ｂに当接して、第１コンタクト３を傾倒できる。又、図２８を参照して、第１カードＣ１をアダプタ板６に装着した状態で、アダプタ板６を凹部１１に挿入した状態では、第１絶縁ブロック３ｂは、第１溝部Ｄ１を通過できる（図１０参照）。
【００８６】
図２９を参照して、第２カードＣ２をアダプタ板６に装着した状態で、アダプタ板６を凹部１１に挿入した状態では、第１絶縁ブロック３ｂは、第２溝部Ｄ２を通過できる（図１３参照）。
【００８７】
図２７（Ｂ）を参照して、第３カードＣ３を凹部１１に挿入した状態では、第３カードＣ３の底面が第１絶縁ブロック３ｂに当接して第１コンタクト３を傾倒させることで、第１接点３ｓを第３カードＣ３の底面から離間できる。
【００８８】
図２８を参照して、第１カードＣ１をアダプタ板６に装着した状態で、アダプタ板６を凹部１１に挿入すると、第１コンタクト３を傾倒させることなく、第１接点３ｓを第１接続端子１ｃｔに接触できる（図１０又は図１１（Ｂ）参照）。
【００８９】
図２４から図２６を参照すると、第２コンタクト４は、第２絶縁ブロック４ｂと第２接点４１ｓを備えている。第２絶縁ブロック４ｂは、第２コンタクト４の自由端部の中間部に配置されている。第２接点４１ｓは、第２コンタクト４の自由端部の先端部に形成している。
【００９０】
図２７（Ｂ）を参照して、第３カードＣ３を凹部１１に挿入した状態では、第３カードＣ３の端縁が第２絶縁ブロック４ｂに当接して、第２コンタクト４を傾倒できる。又、図２８を参照して、第１カードＣ１をアダプタ板６に装着した状態で、アダプタ板６を凹部１１に挿入した状態では、第１カードＣ１の底面が第２絶縁ブロック４ｂに当接して第２コンタクト４を傾倒させることで、第２接点４１ｓを第１カードＣ１の底面から離間できる。
【００９１】
図２９を参照して、第２カードＣ２をアダプタ板６に装着した状態で、アダプタ板６を凹部１１に挿入した状態では、第２絶縁ブロック４ｂは、第２溝部Ｄ２を通過できる（図１３参照）。
【００９２】
図２９を参照して、第２カードＣ２をアダプタ板６に装着した状態で、アダプタ板６を凹部１１に挿入すると、第２絶縁ブロック４ｂが第２溝部Ｄ２の底面に当接することなく通過し、第２コンタクト４を傾倒させることなく、第２接点４１ｓを第２接続端子２ｃｔに接触できる（図１３又は図１４（Ｂ）参照）。
【００９３】
実施形態によるコネクタ１０は、第１コンタクト３を傾倒自在な第１絶縁ブロック３ｂを第１コンタクト３の中間部に成形し、第２コンタクト４を傾倒自在な第２絶縁ブロック４ｂを第２コンタクト４の中間部に成形し、第３カードＣ３をハウジング１の凹部１１に挿入すると、第１コンタクト３及び第２コンタクト４を傾倒して、第１コンタクト３及び第２コンタクト４が第３カードＣ３に接触することを困難とし、第１カードＣ１をハウジング１の凹部１１に挿入すると、第１カードＣ１の底面が第２絶縁ブロック４ｂに当接して第２コンタクト４を傾倒させて、第２コンタクト４が第１カードＣ１に接触することを困難とするので、第１コンタクト３及び第２コンタクト４を損傷させる心配を無くすことができる。
【００９４】
（ハウジングの構成）
次に、実施形態によるハウジング１の構成を説明する。図２から図８を参照して、ハウジング１は、絶縁性を有する合成樹脂からなり、絶縁性を有する合成樹脂を成形して、所望の形状を得ることができる。
【００９５】
図４から図６を参照すると、ハウジング１は、複数のボス１１ａを一方の側壁１ａから突出している。又、ハウジング１は、複数のボス１１ｂを他方の側壁１ｂから突出している。これらのボス１１ａ・１１ｂは、カバー板２の両側面に開口した係止穴に嵌合できる。そして、カバー板２は、ハウジング１に着脱自在に固定できる。
【００９６】
又、図５を参照すると、ハウジング１は、一対の位置決めピン１１ｐ・１１ｐを底面から突出している。一対の位置決めピン１１ｐ・１１ｐは、プリント基板９ｐ（図１又は図２参照）に開口した位置決め穴に嵌合できる。そして、プリント基板９ｐに対して、コネクタ１０を位置決めできる。
【００９７】
（カバー板の構成）
次に、実施形態によるカバー板２の構成を説明する。図１から図３及び図２３を参照すると、カバー板２は、導電性を有する金属板からなることが好ましく、凹部１１に挿入された第１カードＣ１から第３カードＣ３を電磁遮蔽できる。
【００９８】
図１から図３及び図２３を参照すると、カバー板２は、主面板２１と一対の側面板２ａ・２ｂで構成している。主面板２１は、ハウジング１の凹部１１と対向配置されている。一対の側面板２ａ・２ｂは、主面板２１の両側部が略直角に折り曲げられている。一対の側面板２ａ・２ｂは、ハウジング１の両側壁１ａ・１ｂに当接できる。
【００９９】
図１から図３及び図２３を参照すると、主面板２１は、円形のボス２１ｂを突出している。ボス２１ｂは、主面板２１の後部側に配置されている。ボス２１ｂは、後述する揺動板７１の中央部に開口した穴７１ｈと回転自在に連結している。
【０１００】
図１から図３及び図２３を参照すると、主面板２１は、一組の板ばね部材２１１・２１１を前部側に配置している。板ばね部材２１１は、その先端部側が凹部１１の底面に向って傾斜している。板ばね部材２１１は、凹部１１に挿入された第３カードＣ３又はアダプタ板６を凹部１１の底面に向って力を付勢できる。
【０１０１】
図１から図３及び図２３を参照すると、一方の側面板２ａは、後述するリンク板７２を進退自在に案内する案内部材を設けている。
【０１０２】
（イジェクト機構の構成）
次に、実施形態によるイジェクト機構７の構成を説明する。図１から図３及び図２３を参照すると、コネクタ１０は、イジェクト機構７を更に備えている。イジェクト機構７は、第３カードＣ３又はアダプタ板６を凹部１１から排出できる。
【０１０３】
図１から図３及び図２３を参照すると、イジェクト機構７は、揺動板７１、帯板状のリンク板７２、及び、イジェクトボタン７３を備えている。揺動板７１は、円形の穴７１ｈを中央部に開口している。主面板２１のボス２１ｂは、穴７１ｈに嵌合している。そして、揺動板７１は、揺動自在に主面板２１に支持されている。
【０１０４】
図２３を参照すると、揺動板７１は、折り曲げ片７１ａを一端部に有している。折り曲げ片７１ａは、凹部１１の底面に向って突出するように配置されている（図２参照）。一方、揺動板７１は、その他端部をリンク板７２の末端部に連結している（図１又は図２参照）。
【０１０５】
図１から図３及び図２３を参照すると、リンク板７２は、主面板２１の一方の側面板２ａに進退自在に支持されている。リンク板７２は、進退運動のみが許容されている。そして、リンク板７２の進退運動を揺動板７１の回転運動に変換できる。又、リンク板７２は、イジェクトボタン７３を先頭部に固定している。
【０１０６】
図２を参照して、第３カードＣ３又はアダプタ板６を凹部１１に挿入すると、第３カードＣ３又はアダプタ板６の先端面が折り曲げ片７１ａを押すことで、揺動板７１の回転運動がリンク板７２の進退運動に変換されて、イジェクトボタン７３を前方に突出できる。
【０１０７】
一方、図１を参照して、イジェクトボタン７３が突出した状態から、イジェクトボタン７３を押すと、リンク板７２の進退運動が揺動板７１の回転運動に変換されて、折り曲げ片７１ａが第３カードＣ３又はアダプタ板６を押すことで、第３カードＣ３又はアダプタ板６を凹部１１から排出できる。このように、イジェクト機構７は、第３カードＣ３又はアダプタ板６を排出自在な「梃子クランク機構」を構成している。
【０１０８】
（アダプタ板の構成）
次に、実施形態によるアダプタ板６の構成を説明する。図１８から図２２を参照すると、アダプタ板６は、絶縁性を有する矩形のアダプタ板本体６１と導電性を有するシェル板６２で構成している。シェル板６２は、アダプタ板本体６１の一方の面を覆っている。
【０１０９】
図２０から図２２を参照すると、アダプタ板本体６１は、互いに対向した一対の方形の溝６１ｄ・６１ｄを有している。これらの溝６１ｄ・６１ｄは、アダプタ板本体６１の一端部から他端部側に至って形成している。
【０１１０】
図２０から図２２を参照すると、一対の溝６１ｄ・６１ｄは、第１カードＣ１の側部又は第２カードＣ２の側部を案内できる。第１カードＣ１又は第２カードＣ２をアダプタ板本体６１の内部に挿入すると、第１カードＣ１又は第２カードＣ２の端縁が一対の溝６１ｄ・６１に当接して、第１カードＣ１又は第２カードＣ２を停止できる。そして、第１カードＣ１又は第２カードＣ２をアダプタ板６に装着できる。
【０１１１】
図１８又は図２０を参照して、導電性を有するシェル板６２でアダプタ板本体６１の一方の面を覆うことで、アダプタ板本体６１の内部に収容された第１カードＣ１又は第２カードＣ２を電磁妨害から防御できる。
【０１１２】
図２０から図２２を参照すると、シェル板６２は、片持ち状の板ばね部材６２ａを一方の側部に有している。又、シェル板６２は、一組のスイッチ端子６２ｂ・６２ｃを他方の側部に有している。
【０１１３】
図２２を参照すると、板ばね部材６２ａは、一方の溝６１ｄの内部に配置している。第１カードＣ１又は第２カードＣ２をアダプタ板本体６１の内部に挿入すると、板ばね部材６２ａは、第１カードＣ１又は第２カードＣ２を他方の溝６１ｄに向けて付勢できる。
【０１１４】
図２１を参照すると、一組のスイッチ端子６２ｂ・６２ｃは、他方の溝６１ｄの内部に配置している。第１カードＣ１又は第２カードＣ２をアダプタ板本体６１の内部に挿入すると、一組のスイッチ端子６２ｂ・６２ｃが互いに接触することで、第１カードＣ１又は第２カードＣ２の存在を確認できる。このように、一組のスイッチ端子６２ｂ・６２ｃは、カードの有無を検出している。
【０１１５】
（第１コンタクトの構成）
次に、実施形態による第１コンタクト３の構成を説明する。図２４又は図２５を参照すると、第１コンタクト３は、展開板（図示せず）が成形された導電性を有する金属板からなり、展開板を打ち抜き加工又は折り曲げ加工して、導電性を有する片持ち状のベローズコンタクトを得ることができる。第１コンタクト３は、加工の容易性や、ばね特性、導電性などを考慮すれば、銅合金が好ましく用いられるが、銅合金に限定されない。
【０１１６】
図２４又は図２５を参照すると、九つの第１コンタクト３は、互いに分離しているが、九つの第１コンタクト３が部分的に互いに繋がった連鎖状コンタクトしてもよく、図２６に示すように、第１コンタクト３の固定部をモールドしてハウジング１を成形した後に、連鎖状コンタクトを適宜に打ち抜き加工することで、九つの第１コンタクト３を個別に分離できる。
【０１１７】
図３から図５を参照すると、第１コンタクト３は、その固定端部がハウジング１に固定されている。一方、第１コンタクト３は、その自由端部が凹部１１の底面から傾斜して延出している。そして、第１コンタクト３の自由端部の頂き部が第１接続端子１ｃｔに接触できる第１接点３ｓを形成している（図２５参照）。
【０１１８】
図２５を参照すると、第１コンタクト３は、その固定端部の終端部にリード部３ｒを形成している。これらのリード部３ｒは、プリント基板９ｐの一方の面にハンダ接合できる（図１又は図２参照）。つまり、コネクタ１０は、表面実装形のコネクタになっている。
【０１１９】
（第２コンタクトの構成）
次に、実施形態による第２コンタクト４の構成を説明する。図２４又は図２５を参照すると、第２コンタクト４は、展開板（図示せず）が成形された導電性を有する金属板４ｐからなっている。展開板を打ち抜き加工又は折り曲げ加工して、導電性を有する片持ち状のベローズコンタクトを得ることができる。第２コンタクト４は、加工の容易性や、ばね特性、導電性などを考慮すれば、銅合金が好ましく用いられるが、銅合金に限定されない。
【０１２０】
図２４又は図２５を参照して、第２コンタクト４は、対をなす信号コンタクト４ｓ・４ｓとグラウンドコンタクト４ｇを含んでいる。一対の信号コンタクト４ｓ・４ｓは、対をなす信号端子２ｓｔ・２ｓｔに接触できる（図１３参照）。グラウンドコンタクト４ｇは、グラウンド端子２ｇｔに接触できる（図１３参照）。
【０１２１】
図２４又は図２５を参照して、金属板４ｐの中央部をモールドして、ハウジング１を成形できる。そして、図２６に示すように、第２コンタクト４は、信号コンタクト４ｓ、及び、グラウンドコンタクト４ｇを個別に分離している。
【０１２２】
図３から図６を参照すると、信号コンタクト４ｓは、その固定端部がハウジング１に固定されている。一方、信号コンタクト４ｓは、その自由端部が凹部１１の底面から傾斜して延出している。そして、信号コンタクト４ｓの自由端部の頂き部が信号端子２ｓｔに接触できる第２接点４１ｓを形成している（図２５参照）。
【０１２３】
同様に、図３から図６を参照すると、グラウンドコンタクト４ｇは、その固定端部がハウジング１に固定されている。一方、グラウンドコンタクト４ｇは、その自由端部が凹部１１の底面から傾斜して延出している。そして、グラウンドコンタクト４ｇの自由端部の頂き部がグラウンド端子２ｇｔに接触できる第２接点４１ｓを形成している（図２５参照）。
【０１２４】
図２３又は図２４を参照すると、グラウンドコンタクト４ｇは、一対一組のリード片４１ｒ・４１ｒを金属板４ｐの両側面から延出している。これらのリード片４１ｒ・４１ｒは、プリント基板９ｐの一方の面にハンダ接合できる（図１又は図２参照）。つまり、コネクタ１０は、表面実装形のコネクタになっている。又、複数の４１ｒ・４１ｒをプリント基板９ｐの一方の面にハンダ接合することで（図１又は図２参照）、グラウンドを強化できる。
【０１２５】
（第３コンタクトの構成）
次に、実施形態による第３コンタクト５の構成を説明する。図２４又は図２５を参照すると、第３コンタクト５は、展開板（図示せず）が成形された導電性を有する金属板からなり、展開板を打ち抜き加工又は折り曲げ加工して、導電性を有する片持ち状のベローズコンタクトを得ることができる。第３コンタクト５は、加工の容易性や、ばね特性、導電性などを考慮すれば、銅合金が好ましく用いられるが、銅合金に限定されない。
【０１２６】
図２４又は図２５を参照すると、第３コンタクト５は、その中間部が突片１２の底部に固定されている。又、第３コンタクト５は、接点５ｓを先端部に有している。突片１２を第３カードＣ３のスロットＳｔに相対的に挿入すると、接点５ｓを第３接続端子３ｃｔに接触できる（図１５参照）。
【０１２７】
図２４又は図２５を参照すると、第３コンタクト５は、その固定端部の終端部にリード部５ｒを形成している。これらのリード部５ｒは、プリント基板９ｐの一方の面にハンダ接合できる（図１又は図２参照）。
【０１２８】
（カード用コネクタの作用）
次に、実施形態によるコネクタ１０の動作を説明しながら、コネクタ１０の作用及び効果を説明する。
【０１２９】
図２７（Ａ）に示した状態から、第３カードＣ３をハウジング１の凹部１１に挿入すると、第３カードＣ３の端縁が第２絶縁ブロック４ｂに当接して、第２コンタクト４を傾倒できる。そして、第２コンタクト４の第２接点４１ｓが第３カードＣ３の底面に接触しないので、第２接点４１ｓを損傷から保護できる。
【０１３０】
図２７（Ａ）に示した状態から、第３カードＣ３をハウジング１の凹部１１に更に挿入すると、第３カードＣ３の端縁が第１絶縁ブロック３ｂに当接して、第１コンタクト３を傾倒できる。そして、第１コンタクト３の第１接点３ｓが第３カードＣ３の底面に接触しないので、第１接点３ｓを損傷から保護できる。
【０１３１】
図２７（Ａ）に示した状態から、第３カードＣ３をハウジング１の凹部１１に完全に挿入すると、突片１２を第３カードＣ３のスロットＳｔに相対的に挿入できる。そして、第３カードＣ３とコネクタ１０を電気的に接続できる。
【０１３２】
図２７（Ａ）に示した状態から、第１カードＣ１を装着したアダプタ板６をハウジング１の凹部１１に挿入すると（図２８参照）、第１溝部Ｄ１の段差が第２絶縁ブロック４ｂに当接して、第２コンタクト４を傾倒できる。そして、第２コンタクト４の第２接点４１ｓが第１カードＣ１の底面Ｂｆに接触しないので、第２接点４１ｓを損傷から保護できる（図２８参照）。
【０１３３】
図２８を参照して、アダプタ板６を介して、第１カードＣ１をハウジング１の凹部１１に挿入した状態では、第１溝部Ｄ１の段差が信号コンタクト４ｓ及びグラウンドコンタクト４ｇに当接する前に、第１カードＣ１の底面Ｂｆが第２絶縁ブロック４ｂに当接して、第２絶縁ブロック４ｂが信号コンタクト４ｓ及びグラウンドコンタクト４ｇを傾倒させている。これにより、信号コンタクト４ｓ及びグラウンドコンタクト４ｇが第１カードＣ１の底面Ｂｆに接触することなく、信号コンタクト４ｓ及びグラウンドコンタクト４ｇの損傷を防止できる。なお、第１カードＣ１をハウジング１の凹部１１に挿入した状態では、第１接続端子１ｃｔは、第１コンタクト３に接触している（図２８参照）。
【０１３４】
図２７（Ａ）に示した状態から、第２カードＣ２を装着したアダプタ板６をハウジング１の凹部１１に挿入すると（図２９参照）、第２絶縁ブロック４ｂは、第２溝部Ｄ２の底面に当接することなく通過できる。そして、第２絶縁ブロック４ｂが信号コンタクト４ｓ及びグラウンドコンタクト４ｇを傾倒させることなく、信号コンタクト４ｓ及びグラウンドコンタクト４ｇを第２接続端子２ｃｔに接触できる（図１３又は図１４参照）。
【０１３５】
図２７（Ａ）に示した状態から、第２カードＣ２を装着したアダプタ板６をハウジング１の凹部１１に挿入すると（図２９参照）、第１絶縁ブロック３ｂは、第２溝部Ｄ２の底面に当接することなく通過できる。そして、第１接続端子１ｃｔは（図１３又は図１４参照）、第１コンタクト３に接触できる（図３０（Ｂ）参照）。
【０１３６】
このように、実施形態によるコネクタ１０は、第１コンタクト３を傾倒自在な第１絶縁ブロック３ｂを第１コンタクト３の中間部に成形し、第２コンタクト４を傾倒自在な第２絶縁ブロック４ｂを第２コンタクト４の中間部に成形し、第３カードＣ３をハウジング１の凹部１１に挿入すると、第１コンタクト３及び第２コンタクト４を傾倒して、第１コンタクト３及び第２コンタクト４が第３カードＣ３に接触することを困難とし、第１カードＣ１をハウジング１の凹部１１に挿入すると、第１カードＣ１の底面が第２絶縁ブロック４ｂに当接して第２コンタクト４を傾倒させて、第２コンタクト４が第１カードＣ１に接触することを困難とするので、第１コンタクト３及び第２コンタクト４を損傷させる心配を無くすことができる。
【０１３７】
又、実施形態によるコネクタ１０は、信号コンタクト４ｓ及びグラウンドコンタクト４ｇの中間部に第２絶縁ブロック４ｂを個別に成形していることで、第１カードＣ１の極間壁が破損している場合でも（図１０参照）、第２絶縁ブロック４ｂが極間壁の間を通過できるので（図２９参照）、信号コンタクト４ｓ及びグラウンドコンタクト４ｇの変形を防止できるという効果がある。
【０１３８】
本発明は、外形寸法、又は厚さ、及び、接続端子の配列が異なる三種類のカードを共用できるカード用コネクタであって、コンタクトを保護するカード用コネクタを開示したが、本発明の技術的思想を応用すれば、カード用コネクタ以外のコンタクトを保護することもできる。
【符号の説明】
【０１３９】
１  ハウジング
２  カバー板
３  第１コンタクト
３ｂ  第１絶縁ブロック
３ｓ  第１接点
４  第２コンタクト
４ｂ  第２絶縁ブロック
５  第３コンタクト
６  アダプタ板
１０  コネクタ（カード用コネクタ）
１１  凹部
１２  突片
４１ｓ  第２接点
Ｃ１  第１カード
Ｃ２  第２カード
Ｃ３  第３カード
Ｄ１  第１溝部
Ｄ２  第２溝部
Ｓｔ  スロット
１ｃｔ  第１接続端子
２ｃｔ  第２接続端子
３ｃｔ  第３接続端子
【図１】
2018006042.tif 000003
【図２】
2018006042.tif 000004
【図３】
2018006042.tif 000005
【図４】
2018006042.tif 000006
【図５】
2018006042.tif 000007
【図６】
2018006042.tif 000008
【図７】
2018006042.tif 000009
【図８】
2018006042.tif 000010
【図９】
2018006042.tif 000011
【図１０】
2018006042.tif 000012
【図１１】
2018006042.tif 000013
【図１２】
2018006042.tif 000014
【図１３】
2018006042.tif 000015
【図１４】
2018006042.tif 000016
【図１５】
2018006042.tif 000017
【図１６】
2018006042.tif 000018
【図１７】
2018006042.tif 000019
【図１８】
2018006042.tif 000020
【図１９】
2018006042.tif 000021
【図２０】
2018006042.tif 000022
【図２１】
2018006042.tif 000023
【図２２】
2018006042.tif 000024
【図２３】
2018006042.tif 000025
【図２４】
2018006042.tif 000026
【図２５】
2018006042.tif 000027
【図２６】
2018006042.tif 000028
【図２７】
2018006042.tif 000029
【図２８】
2018006042.tif 000030
【図２９】
2018006042.tif 000031
【図３０】
2018006042.tif 000032
【図３１】
2018006042.tif 000033
【図３２】
2018006042.tif 000034
【図３３】
2018006042.tif 000035